(57)【要約】  【課題】  芯材の保護構造を簡素化してデザインの自由度を高める。  【解決手段】  芯材３の少なくとも外側面３ａを薄膜４で被覆して一体化することにより、芯材３の外側面３ａが薄膜４で保護されると共に、そのまま袋部１に取り付け可能となる。  【選択図】      図１
0003104015.tif 000002
【実用新案登録請求の範囲】
【請求項１】
合成樹脂シートで一端が開口する袋状に形成された袋部（１）と、この袋部（１）の開口部分に取り付けられて手提げ孔（２ａ）を開口した手提げ部（２）と、この手提げ部（２）に備えたシート状の芯材（３）とからなる手提げバックにおいて、
前記芯材（３）の少なくとも外側面（３ａ）を薄膜（４）で被覆して一体化したことを特徴とする手提げバック。
【請求項２】
前記薄膜（４）で被覆した芯材（３）に、その手提げ孔（２ａ′）内に突出する揺動片（５）を、その上縁部（５ｂ）に沿って折り曲げ自在に形成した請求項１記載の手提げバック。
【考案の詳細な説明】
【技術分野】
【０００１】
本考案は、内容物として商品などを収納するための手提げバッグ（手提げ袋）で、特に商品販売時に使用する商品収納用手提げバックに関する。
詳しくは、合成樹脂シートで一端が開口した袋状に形成された袋部と、この袋部の開口部分に取り付けられて手提げ孔を開口した手提げ部と、この手提げ部に備えたシート状の芯材とからなる手提げバックに関する。
【背景技術】
【０００２】
従来、この種の手提げバックとして、合成樹脂シートからなる袋部（袋シート）の上縁部を折り返して折込片が形成され、これらシート上縁部と折込片との間に芯材（軟質発泡シートからなる柔軟シート又は紙等）を挟み込んでから、その周辺部分を熱溶着して移動不能に保持すると共に、これらシート上縁部と折込片と芯材からなる手提げ部に手提げ孔（提手孔）を開穿したものがある（例えば、特許文献１参照）。
また、手提げ孔（手提げ用の孔）が開穿された手提げ部（手提げ部分）を、透明な合成樹脂シート２枚よりなり、これら両シートの間に、同一形状の芯材（紙片からなるカード）を挟んだ上で、それらの周辺部分を一体に縫い合わせるか熱溶着により接合して保持し、この芯材の表面に商品の情報等として文字又は色彩や図柄の着色等を印刷等にて表示することにより、この表示された芯材自体が汚れたり破損する恐れがなく、また袋部（袋状部分）に入れた内容物（商品）全体または一部が見えなくならないようにしたものもある（例えば、特許文献２参照）。
【０００３】
【特許文献１】実開平２−１３４０１９号公報（第１−１３頁、第１図−第４図）
【特許文献２】登録実用新案第３０９８０８５号公報（第１−４頁、図１−図４）
【考案の開示】
【考案が解決しようとする課題】
【０００４】
しかし乍ら、このような従来の手提げバックでは、芯材を汚れや破損から保護する構造が、２枚のシート間に芯材を挟み込んでからその周辺部分を熱溶着か又は縫い合わせて保持するため、この芯材の保護構造が複雑になって製造に手間がかかり、コスト高になるだけでなく、手提げ部のデザインを変更するには不向きであって、デザインの自由度に劣るという問題があった。
また、手提げ部に開穿された手提げ孔の孔縁には、手提げ孔を打ち抜いた際の切れ目か又はシートの熱溶着部分やシートの縫い合わせ部分などの接合部が露出するため、この手提げ孔に指を通して吊り下げると、その荷重で手提げ孔の上縁部が変形し易いだけでなく、指に切れ目や熱溶着部分や縫い合わせ部分に直接当たって、特に内容物が重い場合には、これらが指に食い込んで痛みを感じ、長い時間に亘って手に提げて持ち続けられないというという問題もあった。
【０００５】
本考案のうち請求項１記載の考案は、芯材の保護構造を簡素化してデザインの自由度を高めることを目的としたものである。
請求項２記載の考案は、請求項１に記載の考案の目的に加えて、手提げ孔の変形防止を図りながら重い内容物を手に提げて持ち歩いても痛みを感じないようにすることを目的としたものである。
【課題を解決するための手段】
【０００６】
前述した目的を達成するために、本考案のうち請求項１記載の考案は、芯材の少なくとも外側面を薄膜で被覆して一体化したことを特徴とするものである。
請求項２記載の考案は、請求項１記載の考案の構成に、前記薄膜で被覆した芯材に、その手提げ孔内に突出する揺動片を、その上縁部に沿って折り曲げ自在に形成した構成を加えたことを特徴とする。
【考案の効果】
【０００７】
本考案のうち請求項１記載の考案は、芯材の少なくとも外側面を薄膜で被覆して一体化することにより、芯材の外側面が薄膜で保護されると共に、そのまま袋部に取り付け可能となる。
従って、芯材の保護構造を簡素化してデザインの自由度を高めることができる。
その結果、芯材の保護構造が２枚のシート間に芯材を挟み込んでからその周辺部分を熱溶着か又は縫い合わせて保持する従来のものに比べ、製造に手間がかからず、コストを低減できると共に、手提げ部のデザインを変更する際には芯材と共に薄膜を一緒に裁断すれば良いからデザインの自由度に優れる。
【０００８】
請求項２の考案は、請求項１の考案の効果に加えて、芯材に形成された揺動片を上縁部に沿って折り曲げることにより、手提げ孔の強度がアップすると共に、それに挿入した指が揺動片と面接触して、指に食い込まない。
従って、手提げ孔の変形防止を図りながら重い内容物を手に提げて持ち歩いても痛みを感じない。
その結果、手提げ部に開穿された手提げ孔に指を通すと、その荷重で手提げ孔の上縁部が変形し易いと共に切れ目や熱溶着部分や縫い合わせ部分に当接する従来のものに比べ、耐久性に優れ、しかも長い時間に亘って持ち運ぶことができる。
【考案を実施するための最良の形態】
【０００９】
以下、本考案の一実施例を図面に基づいて説明する。
この実施例は、図１及び図２（ａ）（ｂ）に示す如く、手提げバックＡが、複数枚の合成樹脂シートを縫い合わせて上端面が開口した袋部１を形成し、この袋部１の長手方向開口縁１ａ，１ａに、一対の手提げ部２，２を縫い合わせて取り付けると共に、これら手提げ部２，２に手提げ孔２ａ，２ａ′を開穿した商品収納用手提げバックである場合を示すものである。
【００１０】
各手提げ部２は、例えば厚紙などの紙製又は硬質の合成樹脂などからなるシート状の芯材３を有し、この芯材３の外側面３ａのみか又は図示例のように内側面３ｂをも含めて薄膜４が被覆(ラミネート)されることにより、これら芯材３と薄膜４とを一体化している。
【００１１】
この薄膜４は、例えばポリエチレンなどの合成樹脂で成形した無色透明フィルム又は有色透明フィルムであり、熱溶融して芯材３の表面に貼着するか、或いは接着剤を使って芯材３の表面に貼着する。
【００１２】
更に、上記芯材３の少なくとも外側面３ａには、商品の情報などに対応する例えば文字又は色彩や図柄の着色などの表示部Ｂが印刷などで予め描かれ、この表示部４を保護するために薄膜４で覆っている。
【００１３】
そして、これら芯材３及び薄膜４の適宜位置には、手提げ部２の手提げ孔２ａを開穿するが、本実施例の場合には、上記両手提げ部２，２のどちらか一方のみを環状に打ち抜き加工して手提げ孔２ａが開穿され、他方には切り込み線５ａを入れて折り曲げ自在な揺動片５を形成している。
【００１４】
この切り込み線５ａは、一方の手提げ孔２ａの輪郭線と略同形状でその上縁部を除いて連なる形状、図示例では略コの字形に形成され、薄膜４で覆われた芯材３を所望の大きさやデザインなどの外形状に裁断するのと同時に打ち抜き加工して形成し、この切り込み線５ａに沿って揺動片５を切り抜いてから、この揺動片５をその上縁部５ｂが折り目となるように内方向へ折り畳むことにより、一方の手提げ孔２ａと対向する位置に手提げ孔２ａ′が開口して、一方の手提げ孔２ａの打ち抜かれた上縁切れ目５ｃを覆っている。
【００１５】
また、前記両手提げ部２，２には、袋部１の上端開口を開閉自在に閉じるための止め具６を設けている。
【００１６】
次に、斯かる手提げバックＡの作用効果について説明する。
先ず、芯材３の外側面３ａのみ又は内側面３ｂを含め透明な薄膜４で被覆して一体化したから、芯材３の外側面３ａや内側面３ｂが透明な薄膜４で保護されると共に、この被覆した芯材３がそのまま袋部１に取り付け可能となる。
【００１７】
その結果、芯材３自体及びその表面の表示部Ｂを汚れや破損から保護でき、袋部１に入れた内容物（図示せず）全体または一部が見えなくならないという機能を持ちながら手提げ部２の構造を簡素化してデザインの自由度を高めることができる。
【００１８】
更に、本実施例の場合には、一方の手提げ孔２ａへ向け、他方の手提げ孔２ａ′内に突出揺動片５を上縁部５ｂに沿って折り曲げると、一方の手提げ孔２ａの上縁切れ目５ｃが覆われて、これら手提げ孔２ａ′，２ａが強度アップすると共に、この折り畳み状態で指を挿入すれば、折り畳んだ揺動片５と面接触するだけで、一方の手提げ孔２ａが上縁切れ目５ｃに接触せず、指に食い込まないから、重い商品を手に提げて持ち歩いても痛みを感じないという利点がある。
【００１９】
更にまた、薄膜４で被覆した芯材３を裁断するのと同時に、揺動片５の切り込み線５ａを打ち抜いたから、簡単に揺動片５を作製できるという利点がある。
【００２０】
尚、前示実施例では、手提げバックＡが、複数枚の合成樹脂シートを縫い合わせた袋部１と、この袋部１の長手方向開口縁１ａ，１ａに取り付けた一対の手提げ部２，２とからなる商品収納用手提げバックである場合を示したが、これに限定されず、上述した手提げ部２と同じ薄膜４で被覆された芯材３を１枚だけ袋部１の上縁に取り付け、例えば実公昭５２−２２５４５号公報に記載される如く店頭に吊り下げて陳列し、該芯材３に入れたミシン目を抜いて手提げ孔を開口させることにより、商品収納用手提げバックとして利用可能にしても良い。
【００２１】
更に、芯材３の外側面３ａのみ又は内外両側面３ａ，３ｂを薄膜４で被覆した場合を示したが、これに限定されず、芯材３の上下両端を含めて２枚の薄膜４で被覆しても良い。
また、前記袋部１、手提げ部２、手提げ孔２ａ，２ａ′、芯材３、表示部Ｂ、揺動片４の大きさやデザイン形状は、図示例に限定されず、上述した作用効果が得られれば、図示例以外の大きさやデザイン形状であっても良い。
【図面の簡単な説明】
【００２２】
【図１】本考案の一実施例を示す手提げバックの一部切欠斜視図である。
【図２】要部を部分拡大して示す縦断側面図であり、（ａ）が袋部の上端開口を開いた状態を示し、（ｂ）が閉じた状態を示している。
【符号の説明】
【００２３】
Ａ  手提げバック                    Ｂ  表示部
１  袋部                            １ａ  長手方向開口縁
２  手提げ部                        ２ａ  手提げ孔
３  芯材                            ３ａ  外側面
３ｂ  内側面                        ４  薄膜
５  揺動片                          ５ａ  切り込み線
５ｂ  上縁部                        ５ｃ  上縁切れ目
６  止め具
【図１】
0003104015.tif 000003
【図２】
0003104015.tif 000004